(57)【特許請求の範囲】
【請求項１】
上下方向と左右方向と前後方向とを有し、
液吸収性の吸収性コアと、前記吸収性コアよりも肌側に設けられた肌側シートと、を備えた吸収性本体と、
前記吸収性本体の非肌側に重ねて配置された、前記左右方向に伸縮する胴回り部材と、を有するパンツ型吸収性物品であって、
前記吸収性コア及び前記肌側シートの少なくとも一方には、温感剤又は冷感剤が備えられ、
前記吸収性コアの前側上端部には、前記吸収性コアの密度がその周囲の密度よりも高い前側高密度部が設けられ、
前記前側高密度部は、前記左右方向に所定の寸法を有しており、
前記前後方向に見たときに、前記温感剤又は前記冷感剤の少なくとも一部が、前記前側高密度部と重複し、
前記吸収性本体は、前記肌側シートとして、最も肌側に位置する第１肌側シートと、
前記第１肌側シートと前記吸収性コアとの間に位置する第２肌側シートと、を備えており、
前記温感剤又は前記冷感剤が、前記第１肌側シートの非肌側及び前記第２肌側シートの肌側の少なくとも一方に備えられていることを特徴とするパンツ型吸収性物品。
【請求項２】
上下方向と左右方向と前後方向とを有し、
液吸収性の吸収性コアと、前記吸収性コアよりも肌側に設けられた肌側シートと、を備えた吸収性本体と、
前記吸収性本体の非肌側に重ねて配置された、前記左右方向に伸縮する胴回り部材と、を有するパンツ型吸収性物品であって、
前記吸収性コア及び前記肌側シートの少なくとも一方には、温感剤又は冷感剤が備えられ、
前記吸収性コアの前側上端部には、前記吸収性コアの密度がその周囲の密度よりも高い前側高密度部が設けられ、
前記前側高密度部は、前記左右方向に所定の寸法を有しており、
前記前後方向に見たときに、前記温感剤又は前記冷感剤の少なくとも一部が、前記前側高密度部と重複し、
前記胴回り部材は、複数のシートを備えており、
前記胴回り部材の複数のシートのうち、少なくとも１つが前記左右方向に伸縮性を有し、
前記胴回り部材の複数のシートは、前記前後方向に重ねられた状態で、点在する複数の超音波接合部によって接合されており、
前記前後方向に見たときに、前記胴回り部材は、前記吸収性本体と重複する吸収性本体重複領域と、前記吸収性本体と重複しない吸収性本体非重複領域と、を有し、
前記吸収性本体重複領域の単位面積あたりの前記超音波接合部の面積が、前記吸収性本体非重複領域の単位面積あたりの前記超音波接合部の面積よりも、大きいことを特徴とするパンツ型吸収性物品。
【請求項３】
上下方向と左右方向と前後方向とを有し、
液吸収性の吸収性コアと、前記吸収性コアよりも肌側に設けられた肌側シートと、を備えた吸収性本体と、
前記吸収性本体の非肌側に重ねて配置された、前記左右方向に伸縮する胴回り部材と、を有するパンツ型吸収性物品であって、
前記吸収性コア及び前記肌側シートの少なくとも一方には、温感剤又は冷感剤が備えられ、
前記吸収性コアの前側上端部には、前記吸収性コアの密度がその周囲の密度よりも高い前側高密度部が設けられ、
前記前側高密度部は、前記左右方向に所定の寸法を有しており、
前記前後方向に見たときに、前記温感剤又は前記冷感剤の少なくとも一部が、前記前側高密度部と重複し、
前記胴回り部材は、前記左右方向に伸縮性を有し、
前記前側高密度部は、前記上下方向に所定の寸法を有しており、
前記吸収性本体は、前記前側高密度部の前記上下方向の寸法を長さとし、前記左右方向の寸法を幅とした、前側矩形状領域を有し、
前記胴回り部材は、前記前後方向に見たときに、前記前側矩形状領域と重複する前側矩形状重複領域と、前記吸収性本体と重複しない吸収性本体非重複領域と、を有し、
前記前側矩形状重複領域の前記左右方向の寸法が、伸長状態においてＬ０であり、自然状態においてＬ１であって、
前記伸長状態の前記吸収性本体非重複領域において、前記伸長状態の前記前側矩形状重複領域と前記上下方向の同じ位置に配置され形状が同一な領域における前記左右方向の寸法が、前記伸長状態において前記Ｌ０であり、前記自然状態においてＬ２であって、
前記Ｌ１が前記Ｌ２よりも大きいことを特徴とするパンツ型吸収性物品。
【請求項４】
請求項１乃至請求項３のいずれか１つに記載のパンツ型吸収性物品であって、
前記吸収性コアの後側には、前記吸収性コアの密度がその周囲の密度よりも高い後側高密度部が少なくとも１つ設けられ、
前記後側高密度部は、前記左右方向に所定の寸法を有しており、
前記前後方向に見たときに、前記温感剤又は前記冷感剤の少なくとも一部が、前記後側高密度部と重複することを特徴とするパンツ型吸収性物品。
【請求項５】
請求項４に記載のパンツ型吸収性物品であって、
前記前側高密度部の前記左右方向の寸法が、前記後側高密度部のいずれの前記左右方向の寸法よりも、大きいことを特徴とするパンツ型吸収性物品。
【請求項６】
請求項４又は請求項５に記載のパンツ型吸収性物品であって、
前記後側高密度部は、前記左右方向に一対の後側高密度部であり、
前記左右方向において、前記一対の後側高密度部の間の前記吸収性コアの密度は、前記後側高密度部の密度よりも低いことを特徴とするパンツ型吸収性物品。
【請求項７】
請求項４乃至請求項６のいずれか１つに記載のパンツ型吸収性物品であって、
前記前側高密度部と前記後側高密度部は、それぞれが前記上下方向に所定の寸法を有しており、
前記後側高密度部は、１又は複数の前記後側高密度部であって、
１又は複数の前記後側高密度部のうちの最も上端から最も下端までの距離が、前記前側高密度部の上端から下端までの距離よりも、大きいことを特徴とするパンツ型吸収性物品。
【請求項８】
請求項１乃至請求項７のいずれか１つに記載のパンツ型吸収性物品であって、
前記吸収性コアには、前記前側高密度部の下側端の下側に、前記前側高密度部と前記上下方向に間隔を置いて、前記吸収性コアの密度がその周囲の密度より高い中央高密度部が設けられており、
前記前側高密度部と前記中央高密度部は、それぞれ前記上下方向に所定の寸法を有し、
前記吸収性本体には、前記上下方向に沿って弾性部材が備えられており、
前記弾性部材が、前記上下方向において、少なくとも前記前側高密度部の下側端部と、前記中央高密度部の上側端部と、の両方と重複することを特徴とするパンツ型吸収性物品。
【請求項９】
請求項１乃至請求項３のいずれか１つに記載のパンツ型吸収性物品であって、
前記上下方向に沿った所定の領域に前記温感剤又は前記冷感剤が塗布された塗布領域を有し、
前記吸収性コアには、前記前側高密度部の下側端の下側に、前記吸収性コアの密度がその周囲の密度より高い高密度部が上下方向に沿って複数設けられ、
複数の前記高密度部は、前記左右方向に一対の高密度部であり、それぞれ前記上下方向に所定の間隔を置いて設けられており、
複数の前記一対の高密度部の各々は、前記左右方向に所定の寸法を有し、
複数の前記一対の高密度部のいずれかの前記左右方向の寸法が、前記塗布領域の前記左右方向の寸法よりも、小さいことを特徴とするパンツ型吸収性物品。
【請求項１０】
請求項１乃至請求項３のいずれか１つに記載のパンツ型吸収性物品であって、
前記上下方向に沿った所定の領域に前記温感剤又は前記冷感剤が塗布された塗布領域を有し、
前記吸収性コアには、前記前側高密度部の下側端の下側に、前記吸収性コアの密度がその周囲の密度より高い高密度部が上下方向に沿って複数設けられ、
複数の前記高密度部は、前記左右方向に一対の高密度部であり、それぞれ前記上下方向に所定の間隔を置いて設けられており、
複数の前記一対の高密度部の各々は、前記左右方向に所定の寸法を有し、
複数の前記一対の高密度部のいずれかの前記左右方向の寸法が、前記塗布領域の前記左右方向の寸法以上であることを特徴とするパンツ型吸収性物品。
【請求項１１】
請求項９又は請求項１０に記載のパンツ型吸収性物品であって、
前記前側高密度部と複数の前記一対の高密度部は、それぞれ前記上下方向に所定の寸法を有し、
前記吸収性本体は、前記前側高密度部と複数の前記一対の高密度部の各々の前記上下方向の寸法を長さとし、各々の前記左右方向の寸法を幅とした、各々の矩形状領域を有し、
前記前後方向に見たときに、前記温感剤又は前記冷感剤が、前記矩形状領域の少なくとも一部と重複することを特徴とするパンツ型吸収性物品。
【請求項１２】
請求項９乃至請求項１１のいずれか１つに記載のパンツ型吸収性物品であって、
前記前側高密度部と複数の前記一対の高密度部は、前記吸収性コアを圧搾して設けられた、前側圧搾溝と複数の一対の圧搾溝であり、
前記前後方向に見たときに、前記塗布領域が、前記前側圧搾溝又は複数の前記一対の圧搾溝と重複する圧搾溝重複領域と、前記前側圧搾溝及び複数の前記一対の圧搾溝と重複しない圧搾溝非重複領域と、を有していることを特徴とするパンツ型吸収性物品。
【発明の詳細な説明】
【技術分野】
【０００１】
本発明は、パンツ型吸収性物品に関する。
【背景技術】
【０００２】
液吸収性の吸収性コアを備えた吸収性本体と、着用者等が感じる不快感を低減するための揮発性物質と、が設けられたパンツ型吸収性物品（以下、単に吸収性物品ともいう）は、既によく知られている。【０００３】
例えば、特許文献１においては、吸収性物品に嗅覚を刺激する香料を揮発性物質として設けて、不快な臭気を低減した吸収性物品が開示されている。
【先行技術文献】
【特許文献】
【０００４】
【特許文献１】特開２０１８−１０２６１２号公報
【発明の概要】
【発明が解決しようとする課題】
【０００５】
その他の揮発性物質を備えた吸収性物品としては、着用者の温度感覚を刺激する吸収性物品が知られている。例えば、着用者の生理痛や冷え症状を緩和するための温感剤を備えた吸収性物品や、着用者の蒸れやべたつきによる不快感を低減するための冷感剤を備えた吸収性物品である。【０００６】
かかる吸収性物品においては、温感剤又は冷感剤と着用者の肌との距離が、着用者が温感又は冷感を心地よく感じるための１つの要素となる。そして、パンツ型吸収性物品においては、吸収性本体の温感剤又は冷感剤が塗布された領域に胴回り部材の伸縮による縦縞が形成され、温感剤又は冷感剤と着用者の肌までの距離に遠近が生じて、温感又は冷感効果が十分に発揮されない問題があった。【０００７】
本発明は、上記のような問題を鑑みてなされたものであって、その目的とするところは、温感剤又は冷感剤の効果を高めることにある。
【課題を解決するための手段】
【０００８】
上記目的を達成するための主たる発明は、
上下方向と左右方向と前後方向とを有し、
液吸収性の吸収性コアと、前記吸収性コアよりも肌側に設けられた肌側シートと、を備えた吸収性本体と、
前記吸収性本体の非肌側に重ねて配置された、前記左右方向に伸縮する胴回り部材と、を有するパンツ型吸収性物品であって、
前記吸収性コア及び前記肌側シートの少なくとも一方には、温感剤又は冷感剤が備えられ、
前記吸収性コアの前側上端部には、前記吸収性コアの密度がその周囲の密度よりも高い前側高密度部が設けられ、
前記前側高密度部は、前記左右方向に所定の寸法を有しており、
前記前後方向に見たときに、前記温感剤又は前記冷感剤の少なくとも一部が、前記前側高密度部と重複し、
前記吸収性本体は、前記肌側シートとして、最も肌側に位置する第１肌側シートと、
前記第１肌側シートと前記吸収性コアとの間に位置する第２肌側シートと、を備えており、
前記温感剤又は前記冷感剤が、前記第１肌側シートの非肌側及び前記第２肌側シートの肌側の少なくとも一方に備えられていることを特徴とするパンツ型吸収性物品である。
【０００９】
本発明の他の特徴については、本明細書及び添付図面の記載により明らかにする。
【発明の効果】
【００１０】
本発明によれば、下腹部において温感剤又は冷感剤の効果を高めることが可能となる。
【図面の簡単な説明】
【００１１】
【図１】パンツ型吸収性物品１の概略斜視図である。
【図２】展開状態におけるパンツ型吸収性物品１の平面図及び断面模式図である。
【図３】吸収性本体２０の平面図である。
【図４】図３の矢視Ａ−Ａであって、吸収性本体２０の断面模式図である。
【図５】塗布領域２６ｐと非塗布領域２６ｎを示した図である。
【図６】ヒンジ４０の矩形状領域４０Ｍを示した図である。
【図７】塗布領域２６ｐとヒンジ４０の位置関係を示した図である。
【図８】塗布領域２６ｐと矩形状領域４０Ｍの位置関係を示した図である。
【図９】胴回り糸ゴム１６を用いたパンツ型吸収性物品１００の展開状態における平面図である。
【発明を実施するための形態】
【００１２】
本明細書及び添付図面の記載により、少なくとも以下の事項が明らかとなる。
【００１３】
上下方向と左右方向と前後方向とを有し、液吸収性の吸収性コアと、前記吸収性コアよりも肌側に設けられた肌側シートと、を備えた吸収性本体と、前記吸収性本体の非肌側に重ねて配置された、前記左右方向に伸縮する胴回り部材と、を有するパンツ型吸収性物品であって、前記吸収性コア及び前記肌側シートの少なくとも一方には、温感剤又は冷感剤が備えられ、前記吸収性コアの前側上端部には、前記吸収性コアの密度がその周囲の密度よりも高い前側高密度部が設けられ、前記前側高密度部は、前記左右方向に所定の寸法を有しており、前記前後方向に見たときに、前記温感剤又は前記冷感剤の少なくとも一部が、前記前側高密度部と重複することを特徴とするパンツ型吸収性物品。
【００１４】
このようなパンツ型吸収性物品によれば、下腹部において温感剤又は冷感剤の効果を高めることが可能となる。
【００１５】
かかるパンツ型吸収性物品であって、前記吸収性コアの後側には、前記吸収性コアの密度がその周囲の密度よりも高い後側高密度部が少なくとも１つ設けられ、前記後側高密度部は、前記左右方向に所定の寸法を有しており、前記前後方向に見たときに、前記温感剤又は前記冷感剤の少なくとも一部が、前記後側高密度部と重複することが望ましい。
【００１６】
このようなパンツ型吸収性物品によれば、仙骨部において温感剤又は冷感剤の効果を高めることが可能となる。
【００１７】
かかるパンツ型吸収性物品であって、前記前側高密度部の前記左右方向の寸法が、前記後側高密度部のいずれの前記左右方向の寸法よりも、大きいことが望ましい。
【００１８】
このようなパンツ型吸収性物品によれば、下腹部において温感剤又は冷感剤の効果を高めることが可能となる。
【００１９】
かかるパンツ型吸収性物品であって、前記後側高密度部は、前記左右方向に一対の後側高密度部であり、前記左右方向において、前記一対の後側高密度部の間の前記吸収性コアの密度は、前記後側高密度部の密度よりも低いことが望ましい。
【００２０】
このようなパンツ型吸収性物品によれば、仙骨部において温感剤又は冷感剤の効果を高めることが可能となる。
【００２１】
かかるパンツ型吸収性物品であって、前記前側高密度部と前記後側高密度部は、それぞれが前記上下方向に所定の寸法を有しており、前記後側高密度部は、１又は複数の前記後側高密度部であって、１又は複数の前記後側高密度部のうちの最も上端から最も下端までの距離が、前記前側高密度部の上端から下端までの距離よりも、大きいことが望ましい。
【００２２】
このようなパンツ型吸収性物品によれば、仙骨部において温感剤又は冷感剤の効果を高めることが可能となる。
【００２３】
かかるパンツ型吸収性物品であって、前記吸収性コアには、前記前側高密度部の下側端の下側に、前記前側高密度部と前記上下方向に間隔を置いて、前記吸収性コアの密度がその周囲の密度より高い中央高密度部が設けられており、前記前側高密度部と前記中央高密度部は、それぞれ前記上下方向に所定の寸法を有し、前記吸収性本体には、前記上下方向に沿って弾性部材が備えられており、前記弾性部材が、前記上下方向において、少なくとも前記前側高密度部の下側端部と、前記中央高密度部の上側端部と、の両方と重複することが望ましい。
【００２４】
このようなパンツ型吸収性物品によれば、中央ヒンジが身体に近づけられるので、中央ヒンジにおいて温感剤又は冷感剤の効果を高めることが可能となる。
【００２５】
かかるパンツ型吸収性物品であって、前記上下方向に沿った所定の領域に前記温感剤又は前記冷感剤が塗布された塗布領域を有し、前記吸収性コアには、前記前側高密度部の下側端の下側に、前記吸収性コアの密度がその周囲の密度より高い高密度部が上下方向に沿って複数設けられ、複数の前記高密度部は、前記左右方向に一対の高密度部であり、それぞれ前記上下方向に所定の間隔を置いて設けられており、複数の前記一対の高密度部の各々は、前記左右方向に所定の寸法を有し、複数の前記一対の高密度部のいずれかの前記左右方向の寸法が、前記塗布領域の前記左右方向の寸法よりも、小さいことが望ましい。
【００２６】
このようなパンツ型吸収性物品によれば、股間部及び臀部の高密度部が身体に接触することを抑制することができるので、着用時の違和感を抑制することが可能となる。
【００２７】
かかるパンツ型吸収性物品であって、前記上下方向に沿った所定の領域に前記温感剤又は前記冷感剤が塗布された塗布領域を有し、前記吸収性コアには、前記前側高密度部の下側端の下側に、前記吸収性コアの密度がその周囲の密度より高い高密度部が上下方向に沿って複数設けられ、複数の前記高密度部は、前記左右方向に一対の高密度部であり、それぞれ前記上下方向に所定の間隔を置いて設けられており、複数の前記一対の高密度部の各々は、前記左右方向に所定の寸法を有し、複数の前記一対の高密度部のいずれかの前記左右方向の寸法が、前記塗布領域の前記左右方向の寸法以上であることが望ましい。
【００２８】
このようなパンツ型吸収性物品によれば、股間部及び臀部の高密度部による縦皺の発生が抑制され易いので、温感剤又は冷感剤の効果を高めることが可能となる。
【００２９】
かかるパンツ型吸収性物品であって、前記前側高密度部と複数の前記一対の高密度部は、それぞれ前記上下方向に所定の寸法を有し、前記吸収性本体は、前記前側高密度部と複数の前記一対の高密度部の各々の前記上下方向の寸法を長さとし、各々の前記左右方向の寸法を幅とした、各々の矩形状領域を有し、前記前後方向に見たときに、前記温感剤又は前記冷感剤が、前記矩形状領域の少なくとも一部と重複することが望ましい。
【００３０】
このようなパンツ型吸収性物品によれば、矩形状領域の幅の範囲おいて縦皺の発生が抑制され易いので、温感剤又は冷感剤の効果を高めることが可能となる
【００３１】
かかるパンツ型吸収性物品であって、前記前側高密度部と複数の前記一対の高密度部は、前記吸収性コアを圧搾して設けられた、前側圧搾溝と複数の一対の圧搾溝であり、前記前後方向に見たときに、前記塗布領域が、前記前側圧搾溝又は複数の前記一対の圧搾溝と重複する圧搾溝重複領域と、前記前側圧搾溝及び複数の前記一対の圧搾溝と重複しない圧搾溝非重複領域と、を有していることが望ましい。
【００３２】
このようなパンツ型吸収性物品によれば、温感剤又は冷感剤の効果を長く持続させることが可能となる。
【００３３】
かかるパンツ型吸収性物品であって、前記吸収性本体は、前記肌側シートとして、最も肌側に位置する第１肌側シートと、前記第１肌側シートと前記吸収性コアとの間に位置する第２肌側シートと、を備えており、前記温感剤又は前記冷感剤が、前記第１肌側シートの非肌側及び前記第２肌側シートの肌側の少なくとも一方に備えられていることが望ましい。
【００３４】
このようなパンツ型吸収性物品によれば、温感剤又は冷感剤の厚さ方向における不適切な位置を避けることができ、着用者の肌にも近いので、温感剤又は冷感剤の効果を高めることが可能となる。
【００３５】
かかるパンツ型吸収性物品であって、前記胴回り部材は、複数のシートを備えており、
【００３６】
前記胴回り部材の複数のシートのうち、少なくとも１つが前記左右方向に伸縮性を有し、前記胴回り部材の複数のシートは、前記前後方向に重ねられた状態で、点在する複数の超音波接合部によって接合されており、前記前後方向に見たときに、前記胴回り部材は、前記吸収性本体と重複する吸収性本体重複領域と、前記吸収性本体と重複しない吸収性本体非重複領域と、を有し、前記吸収性本体重複領域の単位面積あたりの前記超音波接合部の面積が、前記吸収性本体非重複領域の単位面積あたりの前記超音波接合部の面積よりも、大きいことが望ましい。
【００３７】
このようなパンツ型吸収性物品によれば、吸収性本体重複領域における縦皺の発生が抑制されるので、温感剤又は冷感剤の効果を高めることが可能となる。
【００３８】
かかるパンツ型吸収性物品であって、前記胴回り部材は、前記左右方向に伸縮性を有し、前記前側高密度部は、前記上下方向に所定の寸法を有しており、前記吸収性本体は、前記前側高密度部の前記上下方向の寸法を長さとし、前記左右方向の寸法を幅とした、前側矩形状領域を有し、前記胴回り部材は、前記前後方向に見たときに、前記前側矩形状領域と重複する前側矩形状重複領域と、前記吸収性本体と重複しない吸収性本体非重複領域と、を有し、前記前側矩形状重複領域の前記左右方向の寸法が、伸長状態においてＬ０であり、自然状態においてＬ１であって、前記伸長状態の前記吸収性本体非重複領域において、前記伸長状態の前記前側矩形状重複領域と前記上下方向の同じ位置に配置され形状が同一な領域における前記左右方向の寸法が、前記伸長状態において前記Ｌ０であり、前記自然状態においてＬ２であって、前記Ｌ１が前記Ｌ２よりも大きいことが望ましい。
【００３９】
このようなパンツ型吸収性物品によれば、前側矩形状領域における吸収性本体の左右方向への収縮量が小さくなり、吸収性本体の縦皺の発生が抑制されるので、下腹部において温感剤又は冷感剤の効果を高めることが可能となる。
【００４０】
＝＝＝本実施の形態に係る吸収性物品について＝＝＝
本実施形態に係る揮発性物質を備えた吸収性物品の一例として、後述する温感剤２６を備えたパンツ型吸収性物品１について説明する。なお、以下の説明では生理用の吸収性物品１について説明するが、本実施形態の吸収性物品１には、例えば、大人用、乳児用のおむつ等も含まれており、生理用に用途が限定されるものではない。
【００４１】
図１は、パンツ型吸収性物品１の概略斜視図であり、図２は、展開状態におけるパンツ型吸収性物品１の平面図及び断面模式図である。
【００４２】
図１に示すパンツ型状態において、吸収性物品１は、互いに交差する「上下方向」と「左右方向」と「前後方向」を有している。そして、図１における紙面の縦方向を上下方向として紙面の上側（下側）を上下方向の「上」（「下」）とし、左右方向においては、紙面の左側（右側）を左右方向の左（右）とする。また、前後方向においては、着用する際に着用者の腹側となる方を「前側」とし、着用者の背側となる方を「後側」とする。
【００４３】
図２に示す吸収性物品１の展開状態（パンツ型吸収性物品１がパンツ型に成形される前の平面上に広がった状態）において、吸収性物品１は、互いに交差する「長手方向」と「幅方向」と「厚さ方向」とを有している。そして、図２における紙面の縦方向を長手方向として、紙面の上側（下側）を長手方向の「前（腹側）」（「後（背側）」）とし、長手方向と紙面上で直交する方向を幅方向として紙面の左側（右側）を幅方向の左（右）とする。また、長手方向及び幅方向と直交する方向（紙面を貫通する方向）を厚さ方向とし、厚さ方向においては、着用者の肌と当接する側を「肌側」、その逆側を「非肌側」とする。
【００４４】
なお、本実施の形態に係る平面図（例えば、図２）は、対象物の伸長状態を示している。ここで「伸長状態」とは、吸収性物品１が備える各弾性体（例えば、後述する股下糸ゴム３０、伸縮性シート１２等）を伸長させることにより、平面図に示す部材を皺なく伸長させた状態である。例えば、図２においては、吸収性物品１を構成する後述する胴回り部材１０と吸収性本体２０の寸法がその部材単体の寸法と一致又はそれに近い寸法になるまで伸長させた状態のことをいう。そして、非伸長状態であって、各弾性体が自然に収縮して平面図に示す部材等に皺等が生じている状態のことを「自然状態」という。
【００４５】
本実施の形態に係る吸収性物品１は、胴回り部材１０と、吸収性本体２０とを備えており、以下では、先ず、胴回り部材１０と吸収性物品１をパンツ型に生成する過程について説明する。そして、吸収性本体２０については、後に項を設けて説明する。なお、本実施の形態においては、吸収性本体２０に温感剤２６が備えられている。
【００４６】
胴回り部材１０は、図２に示すように、展開状態において、平面視で略砂時計形状をしている。つまり、長手方向の中央部が幅方向の内側へ窪んでおり、この窪んだ部分は、パンツ型に成形されると、図１に示す一対の脚回り開口部１ｂを形成する。
【００４７】
また、胴回り部材１０は、長手方向において吸収性物品１の中心に位置する中心折線ＣＬより前側の前側胴回り部材１０ｆと後側の後側胴回り部材１０ｂを有している。そして、前側胴回り部材１０ｆ（後側胴回り部材１０ｂ）は、前側（後側）の端部において幅方向に沿った胴回り前端部１０ｆｆ（胴回り後端部１０ｂｆ）と、左右の両端部に設けられた長手方向に沿った前側接合部１０ｆｅ（後側接合部１０ｂｅ）（共に図２の右下がり斜線図）を有している。
【００４８】
また、本実施の形態に係る胴回り部材１０は、胴回り部材１０の形状をした左右方向にほぼ伸縮性の無い不織布の非伸縮性シート１４と、左右方向に伸縮性を有する不織布の伸縮性シート１２（前側伸縮性シート１２ｆ及び後側伸縮性シート１２ｂ）と、を備えており、図２に示すように、非伸縮性シート１４と伸長状態の伸縮性シート１２が厚さ方向に重ねられた状態で接合されている。
【００４９】
つまり、胴回り部材１０は、複数のシートを備えており、複数のシートのうち、少なくとも１つが左右方向に伸縮性を有している。そして、複数のシートの接合は、超音波振動及び圧力を加えた超音波接合（超音波シール）により、点在する複数の超音波接合部を形成することで行われる。
【００５０】
すなわち、複数のシートは、厚さ方向（前後方向）に重ねられた状態で、点在する複数の超音波接合部によって接合される。換言すれば、複数のシートの接合は、そのシートの接合範囲の全てが超音波接合部で構成されているのではなく、超音波接合部と非超音波接合部とで構成されている。そして、超音波接合部は、一定の間隔を置いて設けられており、厚さ方向に見たときに、吸収性本体２０と重複する領域か否かによって、かかる一定の間隔が相違する。
【００５１】
つまり、本実施の形態に係る胴回り部材１０は、厚さ方向（前後方向）に見たときに、吸収性本体２０と重複する吸収性本体重複領域（伸縮性シート１２が吸収性本体２０と重複する領域であり、図２においてＸで示す右上がり斜線の領域）と、吸収性本体２０と重複しない吸収性本体非重複領域（伸縮性シート１２が吸収性本体２０と重複しない領域であり、伸縮性シート１２のうちのＸで示す右上がり斜線の領域以外の領域）で、超音波接合部の間隔が異なる。
【００５２】
吸収性本体重複領域においては、図２のＹ部拡大図に示すように、超音波接合部ＹＳがほぼ同一の大きさの略長方形状に形成されており、幅方向に沿って直立した当該略長方形状を４５度傾けたものと、−４５度傾けたものが規則正しくそれぞれ略均一に配置されている。そして、吸収性本体非重複領域においては、図２のＺ部拡大図に示すように、超音波接合部ＺＳが略同一の大きさの円形状に形成されており、超音波接合部ＹＳよりも大きい間隔で略均一に分布している。
【００５３】
そのため、吸収性本体重複領域と吸収性本体非重複領域の単位面積あたりの超音波接合部の面積を比べると、吸収性本体重複部の方が大きくなる。すなわち、吸収性本体重複領域の単位面積あたりの超音波接合部ＹＳの面積が、吸収性本体非重複領域の単位面積あたりの超音波接合部ＺＳの面積よりも大きい。
【００５４】
また、吸収性本体非重複領域においては、単位面積あたりの超音波接合部の面積が一定でなくてもよく、超音波接合部ＺＳと異なる超音波接合部を有していてもよい。例えば、着用者への締め付け具合等を考慮し、吸収性本体２０の長手方向における前端よりも前側において、幅方向における両外側の超音波接合部ＺＳよりも単位面積あたりの超音波接合部の面積を大きくすると、当該部の剛性が高くなって縦皺の発生が抑制されるので、温感剤２６が胴回り部材１０から抜けにくくなり、より下腹部での温感効果を長く保つことができる。
【００５５】
吸収性物品１をパンツ型に生成する過程においては、先ず、展開状態の胴回り部材１０の所定の位置に吸収性本体２０を配置して、展開状態の吸収性物品１を生成する。つまり、吸収性本体２０の非肌側の面を接合面とし、当該接合面を展開状態の胴回り部材１０の所定の位置に載置して接合する。すなわち、胴回り部材１０は、厚さ方向において吸収性本体２０の非肌側に重ねて配置される。
【００５６】
そして、展開状態の吸収性本体２０と胴回り部材１０が、長手方向に折り曲げられる。すなわち、図２に示す中心折線ＣＬを折り目として、前側胴回り部材１０ｆの肌側と、後側胴回り部材１０ｂの肌側と、が向かい合わせになるように、吸収性本体２０と胴回り部材１０が、長手方向に折り曲げられる。
【００５７】
そうしたら、胴回り部材１０の前側接合部１０ｆｅと後側接合部１０ｂｅが近づくので、左右の前側接合部１０ｆｅと後側接合部１０ｂｅをそれぞれ接合する。
【００５８】
つまり、胴回り部材１０の左右両端部が長手方向に沿って接合されるので、胴回り部材１０の胴回り前端部１０ｆｆと胴回り後端部１０ｂｆが胴回り部材１０の上側に胴回り開口部１ａを形成する。
【００５９】
また、胴回り部材１０は、吸収性本体２０よりも幅方向における左側の外側（図２においてＬＬで示す破線より左側）に位置する左側延出部１０Ｌと、右側の外側（図２においてＲＬで示す破線より右側）に位置する右側延出部１０Ｒと、を有している。
【００６０】
パンツ型吸収性物品１は、胴回り部材１０が着用者の身体の前側（腹部）と後側（背中部）に当接して（着用者の胴回りに当接して）、主に胴回り部材１０の左右方向への伸縮（身体への締め付け）により、着用時に落下しないような構成である。したがって、胴回り部材１０に接合された吸収性本体２０は、着用者の股下部（吸収性本体２０が着用時に着用者の肌に当接する部分であり、下腹部から股間部を介して臀部（おしり）の仙骨部に至る部分）に当接した状態で胴回り部材１０により上下方向に支持される。
【００６１】
すなわち、吸収性物品１は、腹部、背中部、及び股下部を備え、胴回り開口部、及び一対の脚回り開口部が形成されたパンツ型であり、胴回り部材の有する伸縮性シート１２等により、着用時に落下しないように支持されている。
【００６２】
なお、「当接」とは、当たり接していることを意味し、部材の少なくとも一部が着用者に当接していれば、当該部材は着用者に当接している状態となる。例えば、胴回り部材１０のうちの伸縮する部分が着用者と接して、伸縮しない部分が着用者と接していない状態は、胴回り部材１０が着用者に当接している状態である。
【００６３】
また、前述した吸収性本体２０と胴回り部材１０等を接合する接合方法としては、例えば、接着剤、ヒートシール、超音波シール、これらの組み合わせ等、公知の接合方法を例示できる。
【００６４】
＜＜＜吸収性本体２０について＞＞＞
次に、吸収性本体２０について図３乃至図６を用いて説明する。図３は、吸収性本体２０の平面図であり、図４は、図３の矢視Ａ−Ａであって、吸収性本体２０の断面模式図である。図５、図６については、後述する。
【００６５】
本実施の形態に係る吸収性本体２０は、生理用の吸収性本体２０であり、所謂ナプキンである。つまり、吸収性本体２０は、液吸収性の吸収性コア２２を備えており、吸収性コア２２は、コアラップシート２２ａで外周面が覆われている。
【００６６】
吸収性コア２２は、液体吸収性素材が所定の形状に成形されたものであり、本実施の形態においては、平面視で略矩形状（図３の斜線図）、断面視で凸部形状（図４の斜線部）に成形されている。液体吸収性素材としては、パルプ繊維等の液体吸収性繊維に高吸収性ポリマー（所謂ＳＡＰ）等が含有されたものを例示できる。コアラップシート２２ａとしては、ティッシュペーパーや不織布等の液透過性シートを例示できる。なお、コアラップシート２２ａはなくてもよい。
【００６７】
吸収性本体２０は、吸収性コア２２に加えて、図４に示すように、吸収性コア２２よりも肌側に第１肌側シート２４ａと、第２肌側シート２４ｂと、温感剤２６と、を備えており、吸収性コア２２よりも非肌側には、長手方向に沿った股下糸ゴム３０（弾性部材に相当）と、非肌側シート２４ｃと、を備えている。
【００６８】
また、吸収性本体２０は、サイドシート２４ｄを備えており、サイドシート２４ｄは、吸収性本体２０の幅方向における両端部において、厚さ方向において最も非肌側から第１肌側シート２４ａよりも肌側まで延出し、非肌側まで折り返すようにして設けられている。そして、サイドシート２４ｄの肌側まで延出した一部は、立体ギャザー５０を形成している。
【００６９】
なお、立体ギャザー５０は、温感剤２６が外に漏れてしまうことを防ぐため、支点５０Ｂから頂点５０Ｓまで不織布が同数枚で構成されていることが好ましく、具体的には、２枚以上であることが好ましい。
【００７０】
また、吸収性本体２０（吸収性コア２２）の肌側には、複数のヒンジ４０（高密度部に相当）が形成されている。
【００７１】
第１肌側シート２４ａは、着用時において着用者の肌に接触し得る液透過性のシート部材であり、例えば親水性のエアスルー不織布やスパンボンド不織布等により形成される。第２肌側シート２４ｂは、第１肌側シート２４ａとほぼ同等の機能及び構成を有するシート部材であり、第１肌側シート２４ａの非肌側面に積層されている。また、第２肌側シート２４ｂの吸収性能を向上させる際には、第２肌側シート２４ｂにエアレイドパルプを用いるとよい。第２肌側シート２４ｂにエアレイドパルプを使用することにより、厚み方向の疎密勾配を付与し、吸収性を向上させることができる。
【００７２】
すなわち、吸収性本体２０は、肌側シートとして、最も肌側に位置する第１肌側シート２４ａと、第１肌側シート２４ａと吸収性コア２２との間に位置する第２肌側シート２４ｂと、を備えている。なお、吸収性本体２０において、第２肌側シート２４ｂは必ずしも設けられていなくても良い。
【００７３】
非肌側シート２４ｃは、液不透過性シートであればよく、ポリエチレンフィルムやポリプロピレンフィルム等を例示できる。また、第１肌側シート２４ａ及び非肌側シート２４ｃの大きさは、吸収性コア２２の全体を覆う大きさである。また、非肌側シート２４ｃは、非通気フィルムであってもよい。非肌側シート２４ｃが非通気フィルムであれば、温感剤２６が揮発して非肌側から排出することを抑制することができる。
【００７４】
サイドシート２４ｄは、着用時において着用者の肌に一部が接触するので、例えば、ＳＭＳ不織布やスパンボンド不織布等により形成される。また、サイドシート２４ｄにおいては、肌側シートよりも密度が高い不織布を複数層に重ねて使用することにより、温感剤２６が揮発してサイドシート２４ｄから排出することを抑制することができる。
【００７５】
温感剤２６は、着用者の生理痛や冷え症状を緩和するために設けられており、着用者の温度感覚に刺激を与えることにより、刺激を受けた着用者が温かく感じる温感刺激剤を含み、揮発性の物質である溶媒と混合された状態で備えられている。
【００７６】
そして、温感剤２６は、厚さ方向において、第１肌側シート２４ａと第２肌側シート２４ｂとの間（第１肌側シート２４ａの非肌側及び第２肌側シート２４ｂの肌側の少なくとも一方。本実施の形態においては、第１肌側シート２４ａの非肌側）に塗布されており（図４の黒塗り部）、着用者の肌と当接する場所には塗布されていない。本実施形態に係る温感剤２６は、気化して着用者の肌まで到達してその主たる温感効果を発揮する。なお、温感剤２６の気化については、後で詳しく説明する。
【００７７】
また、温感剤２６は、吸収性コア２２に備えられていてもよい。すなわち、吸収性コア２２及び肌側シート（第１肌側シート２４ａと第２肌側シート２４ｂ）の少なくとも一方に、温感剤２６が備えられていればよい。
【００７８】
温感刺激剤は、着用者の安心感の観点から、植物由来の化合物であることが好ましい。温感刺激剤としては、例えば、カプシコシド、カプサイシン（ＬＤ５０：４７ｍｇ／ｋｇ，分子量：３０５）、カプサイシノイド類（ジヒドロカプサイシン、ノルジヒドロカプサイシン、ホモジヒドロカプサイシン、ホモカプサイシン、ノニバミド等）、カプサンチン、ニコチン酸ベンジル（ＬＤ５０：２，１８８ｍｇ／ｋｇ，分子量：２１３）、ニコチン酸β−ブトキシエチル、Ｎ−アシルワニルアミド、ノナン酸バニリルアミド、多価アルコール、唐辛子末、唐辛子チンキ、唐辛子エキス、ノナン酸バニリルエーテル、バニリルアルコールアルキルエーテル誘導体（例えば、バニリルエチルエーテル、バニリルブチルエーテル（ＬＤ５０：４，９００ｍｇ／ｋｇ，分子量：２１０）、バニリルペンチルエーテル、バニリルヘキシルエーテル）、イソバニリルアルコールアルキルエーテル、エチルバニリルアルコールアルキルエーテル、ベラトリアルアルコール誘導体、置換ベンジルアルコール誘導体、置換ベンジルアルコールアルキルエーテル、バニリンプロピレングリコールアセタール、エチルバニリンプロピレングリコールアセタール、ショウガエキス、ジンジャーオイル、ジンゲロール（ＬＤ５０：２５０ｍｇ／ｋｇ，分子量：２９４）、ジンゲロン、ヘスペリジン、及びピロリドンカルボン酸、並びにそれらの任意の組み合わせが挙げられる。
【００７９】
溶媒は、温感刺激剤を含むことができるものであれば、特に限定されず、例えば、親油性溶媒及び親水性溶媒が挙げられる。溶媒は、温感刺激剤を、例えば、溶解、分散等することができる。
【００８０】
親油性溶媒としては、油脂、例えば、天然油（例えば、トリグリセリド等の脂肪酸エステル、ヤシ油、アマニ油、トリ（カプリル／カプリン酸）グリセリル等）、炭化水素（例えば、パラフィン、例えば、流動パラフィン）等が挙げられる。
【００８１】
親水性溶媒は、水及びアルコールが挙げられる。上記アルコールとしては、メタノール、エタノール、エチレングリコール、グリセリン等の低級アルコール、カプリルアルコール、ラウリルアルコール、ミリスチルアルコール等の高級アルコール等が挙げられる。
【００８２】
図５は、温感剤２６の塗布領域２６ｐと非塗布領域２６ｎを示した図である。図５に示すように、温感剤２６は、幅方向に所定の寸法を有し、長手方向に沿った一対の塗布領域２６ｐ（図５の斜線部）に塗布される。したがって、吸収性本体２０の幅方向における中央部には、長手方向に沿った温感剤２６が塗布されていない非塗布領域２６ｎが設けられる。
【００８３】
本実施の形態においては、吸収性本体２０の幅方向における中央部に、幅寸法１５ｍｍの非塗布領域２６ｎが設けられており、非塗布領域２６ｎの幅方向における両外側に一対の塗布領域２６ｐが、幅寸法２５ｍｍで設けられている。また、塗布領域２６ｐ及び非塗布領域２６ｎは、吸収性本体２０の長手方向における前端から後端まで連続した領域である。
【００８４】
次に、温感剤２６の気化について説明する。温感剤２６の溶媒は、温感刺激剤を含んだ状態で気化する。つまり、温感刺激剤を含んだ溶媒が気化して着用者の肌に到達し、到達した温感刺激剤が着用者の温度感覚に刺激を与える。すなわち、本実施の形態においては、温感剤２６が着用者の肌と直接的に当接していなくても、温感剤２６が気化することにより、気化した温感剤２６が着用者の肌と当接する。
【００８５】
そして、このような溶媒の気化量は、着用者の体温の伝達等による温感剤２６の温度変化や、温感剤２６の位置する吸収性本体２０の伸縮動作の大小（大きく伸縮すると温感剤２６も大きく動いて気化量が増加する）によって増減する。つまり、温感剤２６への体温の伝わり具合（温感剤２６と着用者の肌の距離等）、温感剤２６の位置する吸収性本体２０の伸縮具合（弾性部材の有無等）等を調整することで気化量を調整することができる。すなわち、着用者が感じる温感刺激の強弱や、温感剤の効果が発揮される持続時間（溶媒が気化する時間）の長短を調整することが可能となる。
【００８６】
股下糸ゴム３０は、図３及び図４に示すように、吸収性本体２０の左右方向（幅方向）の中央部において、下腹部が当接する前側から股間部を介して臀部が当接する後側に至るまで設けられている。すなわち、吸収性本体２０には、上下方向（長手方向）に沿って股下糸ゴム３０が備えられている。そして、股下糸ゴム３０は、上下方向において、少なくとも後述する前側ヒンジ４１の下側端部４１ｂｅと、後述する中央ヒンジ４３の上側端部４３ｆｅと、の両方と重複している。
【００８７】
また、股下糸ゴム３０は、連続した伸長状態で非肌側シート２４ｃに接合された後に、吸収性物品１毎に切断されるので、接合されていない部分の股下糸ゴム３０は、切断後に接合部に向かって収縮し、伸長していない状態の股下糸ゴム３０が吸収性本体２０に設けられることとなる。つまり、股下糸ゴム３０の前側端においては、伸長していない状態の股下糸ゴム３０が設けられている。
【００８８】
かかる部分は、股下糸ゴム３０が設けられていない部分よりも剛性が高いので、吸収性物品１の着用時、吸収性本体２０がカップ状（パンツ型において左右方向から見てＵ型状）に変形した後において、吸収性本体２０のその形状を崩れにくくする。すなわち、パンツ型吸収性物品１において、例えば、上下方向の上側から吸収性本体２０を変形させるような力が加わった場合、伸長していない状態の股下糸ゴム３０が設けられている部分があれば、かかる部分は股下糸ゴム３０が無い部分よりも剛性が高くて変形しにくいので、吸収性本体２０の形状を崩れにくくすることが可能となる。
【００８９】
なお、本実施の形態に係る股下糸ゴム３０は、吸収性コア２２よりも非肌側の非肌側シート２４ｃの非肌側に設けられているが、これに限るものではなく、例えば、非肌側シート２４ｃの肌側に設けてもよいし、非肌側だけではなく吸収性コア２２の肌側にも設けてもよい。
【００９０】
また、吸収性本体２０を伸縮させる部材としては、股下糸ゴム３０に限るものではなく、伸縮性不織布や伸縮性フィルムを用いてもよい。伸縮性不織布や伸縮性フィルムのようなシート状の弾性部材を使用することにより、より面（シートの端面であって上記した股下糸ゴム３０よりも広い範囲）でカップ状に変形した吸収性本体２０の状態を保持することができ、温感剤２６の温感効果を高めることができる。
【００９１】
図６は、ヒンジ４０の矩形状領域４０Ｍを示した図である。ヒンジ４０は、着用者が吸収性物品１を着用した際に、吸収性本体２０が着用者の身体に沿って変形するように（変形の折り目となるように）設けられており、図４に示すように、吸収性本体２０（吸収性コア２２）の肌側において、肌側から非肌側へ窪んだ凹部形状をしている。
【００９２】
本実施の形態に係るヒンジ４０の凹部形状は、温感剤２６が塗布された吸収性本体２０（吸収性コア２２）を肌側から圧搾することにより形成されている。つまり、以下に説明するヒンジ４０の各々は、吸収性コア２２の密度がその周囲の密度よりも高い高密度部であって圧搾溝である。
【００９３】
本実施の形態においては、吸収性コア２２の前側上端部には、前側ヒンジ４１（前側高密度部に相当）が設けられている。そして、前側ヒンジ４１の下側端の下側に、前側ヒンジ４１と上下方向に間隔を置いて、中央ヒンジ４３（中央高密度部に相当）が設けられており、吸収性コア２２の後側には、後側ヒンジ４２（後側高密度部に相当）が設けられている。
【００９４】
なお、本実施の形態においては、吸収性物品１がパンツ型の形状において、図２に示す前側伸縮性シート１２ｆの端１２ｆｅ及び後側シート１２ｂの端１２ｂｅよりも上側の部分を吸収性コア２２（吸収性本体２０）の「上端部」とする。詳細には、端１２ｆｅよりも前側を前側上端部、端１２ｂｅよりも後側を後側上端部とする。また、本実施の形態のように端１２ｆｅ、１２ｂｅによらない場合（例えば、胴回り部材１０に端１２ｆｅ、１２ｂｅが無いような吸収性物品の場合）には、例えば、吸収性本体２０を長手方向に三等分し、吸収性物品１が展開状態においては、前側から前端部、中央部、後端部とし、吸収性物品１がパンツ型の形状においては、前側から前側上端部、中央下部、後側上端部としてもよい。
【００９５】
つまり、吸収性コア２２には、前側ヒンジ４１の下側端の下側に、複数のヒンジ４０（後側ヒンジ４２及び中央ヒンジ４３）が上下方向に沿って設けられている。そして、複数のヒンジ４０（後側ヒンジ４２及び中央ヒンジ４３）は、左右方向に一対のヒンジ４０（後側ヒンジ４２及び中央ヒンジ４３）であり、それぞれ上下方向に所定の間隔を置いて設けられている。
【００９６】
なお、本実施の形態に係る後側ヒンジ４２は、長手方向の最も後側から順番に、第１後側ヒンジ４２ａ、第２後側ヒンジ４２ｂ、第３後側ヒンジ４２ｃの３つ設けられているが、後側ヒンジ４２は、吸収性本体２０を臀部に沿わせるようなものであればよく、少なくとも１つ設けられていればよい。すなわち、後側ヒンジ４２は、１又は複数の後側ヒンジ４２で構成される。
【００９７】
また、一対の後側ヒンジ４２の各々の左右方向の間には、ヒンジ４０のような高密度部が設けられていない。すなわち、左右方向において、一対の後側ヒンジ４２の間の吸収性コア２２の密度は、後側ヒンジ４２の密度よりも低い。
【００９８】
また、ヒンジ４０の各々は、各々が上下方向と左右方向に所定の寸法を有している。つまり、図６に示すように、前側ヒンジ４１（第１後側ヒンジ４２ａ、第２後側ヒンジ４２ｂ、第３後側ヒンジ４２ｃ、中央ヒンジ４３）は、上下方向に所定の寸法４１Ｙ（４２ａＹ、４２ｂＹ、４２ｃＹ、４３Ｙ）、左右方向に所定の寸法４１Ｘ（４２ａＸ、４２ｂＸ、４２ｃＸ、４３Ｘ）を有している。
【００９９】
そして、前側ヒンジ４１の左右方向の寸法４１Ｘが、後側ヒンジ４２の左右方向の寸法（４２ａＸ、４２ｂＸ、及び４２ｃＸ）のいずれよりも大きい。また、１又は複数の後側ヒンジ４２のうちの最も上端（第１後側ヒンジ４２ａの上端）から最も下端（第３後側ヒンジ４２ｃの下端）までの距離が、前側ヒンジ４１の上端から下端までの距離（上下方向の寸法４１Ｙ）よりも大きい。
【０１００】
また、ヒンジ４０は、吸収性本体２０に矩形状領域４０Ｍ（図６の斜線部）を形成している。すなわち、吸収性本体２０は、ヒンジ４０の各々の上下方向の寸法を長さとし、各々の左右方向の寸法を幅とした、矩形状領域４０Ｍを有している。具体的には、図６に示すように、前側ヒンジ４１（第１後側ヒンジ４２ａ、第２後側ヒンジ４２ｂ、第３後側ヒンジ４２ｃ、中央ヒンジ４３）が、上下方向の寸法４１Ｙ（４２ａＹ、４２ｂＹ、４２ｃＹ、４３Ｙ）を長さとし、左右方向の寸法４１Ｘ（４２ａＸ、４２ｂＸ、４２ｃＸ、４３Ｘ）を幅とした、前側矩形状領域４１Ｍ（第１後側矩形状領域４２ａＭ、第２後側矩形状領域４２ｂＭ、第３後側矩形状領域４２ｃＭ、中央矩形状領域４３Ｍ）を形成している。
【０１０１】
なお、本実施の形態に係るヒンジ４０の凹部の深さは、一定ではなく、浅い部分や深い部分があり、このヒンジ４０の凹部の深さを調整することで、吸収性本体２０の変形具合を調整している。
【０１０２】
＜＜＜塗布領域２６ｐの配置について＞＞＞
次に、塗布領域２６ｐ（温感剤２６）の配置について説明する。前述した通り、吸収性本体２０における温感剤２６の位置により、着用者が感じる温感刺激の強弱や、温感剤２６の効果持続時間が異なる。
【０１０３】
以下では、塗布領域２６ｐと、ヒンジ４０、ヒンジ４０のうちの前側ヒンジ４１と後側ヒンジ４２、及び矩形状領域４０Ｍとの位置関係について図７、図８を用いて説明する。図７は、塗布領域２６ｐとヒンジ４０の位置関係を示した図であり、図８は、塗布領域２６ｐと矩形状領域４０Ｍの位置関係を示した図である。
【０１０４】
塗布領域２６ｐとヒンジ４０は、図７に示すように、前後方向に見たときに、重複している領域（図７の黒塗り部）と、重複していない領域に分かれている。すなわち、前後方向に見たときに、塗布領域２６ｐが、ヒンジ４０と重複するヒンジ重複領域２６ｐｃ（圧搾溝重複領域に相当）と、ヒンジ４０と重複しないヒンジ非重複領域２６ｐｄ（圧搾溝非重複領域に相当）と、を有している。
【０１０５】
塗布領域２６ｐと前側ヒンジ４１は、図７に示すように、前後方向に見たときに、重複している領域と、重複していない領域に分かれている。後側ヒンジ４２は、前後方向に見たときに、塗布領域２６ｐと全て重複している。すなわち、前後方向に見たときに、温感剤２６の少なくとも一部が、前側ヒンジ４１及び後側ヒンジ４２と重複する。
【０１０６】
塗布領域２６ｐと矩形状領域４０Ｍは、図８に示すように、前後方向に見たときに、重複している領域（図８の斜線部）と、重複していない領域に分かれている。すなわち、前後方向に見たときに、温感剤２６の少なくとも一部が、矩形状領域４０Ｍと重複する。
【０１０７】
＜＜＜本実施の形態に係る有効性について＞＞＞
パンツ型吸収性物品においては、温感剤２６と着用者の肌との距離が、着用者が温感を心地よく感じるための１つの要素となる。そして、従来のパンツ型吸収性物品においては、吸収性本体の温感剤２６が塗布された領域に胴回り部材１０の伸縮による縦縞が形成され、温感剤２６と着用者の肌までの距離に遠近が生じて、温感効果が十分に発揮されない問題があった。
【０１０８】
これに対し、本実施の形態に係るパンツ型吸収性物品１は、液吸収性の吸収性コア２２と、吸収性コア２２よりも肌側に設けられた肌側シート（第１肌側シート２４ａ及び第２肌側シート２４ｂ）と、を備えた吸収性本体２０と、吸収性本体２０の非肌側に重ねて配置された、左右方向に伸縮する胴回り部材１０と、を有するパンツ型吸収性物品１であって、吸収性コア２２及び肌側シート（第１肌側シート２４ａ及び第２肌側シート２４ｂ）の少なくとも一方には、温感剤２６が備えられ、吸収性コア２２の前側上端部には、吸収性コア２２の密度がその周囲の密度よりも高い前側ヒンジ４１が設けられ、前側ヒンジ４１は、左右方向に所定の寸法４１Ｘを有しており、前後方向に見たときに、温感剤２６の少なくとも一部が、前側ヒンジ４１と重複することとした。そのため、下腹部において温感剤２６の効果を高めることが可能となる。
【０１０９】
前述したように、前側ヒンジ４１は、吸収性コア２２の密度がその周囲の密度より高い高密度部である。そのため、前側ヒンジ４１は、その周囲よりも剛性が高くなっており、変形しにくくなっている。つまり、胴回り部材１０の左右方向の伸縮による前側ヒンジ４１の変形は、その周囲の吸収性コア２２の変形よりも小さい。
【０１１０】
すなわち、前側ヒンジ４１で胴回り部材１０の左右方向への伸縮による吸収性本体２０の縦皺の発生が抑制されて、吸収性本体２０が着用者の身体に沿うので、下腹部において温感剤２６の効果を高めることが可能となる。
【０１１１】
また、本実施の形態においては、吸収性コア２２の後側には、吸収性コア２２の密度がその周囲の密度よりも高い後側ヒンジ４２が少なくとも１つ設けられ、後側ヒンジ４２は、左右方向に所定の寸法（４２ａＸ、４２ｂＸ、及び４２ｃＸ）を有しており、前後方向に見たときに、温感剤２６の少なくとも一部が、後側ヒンジ４２と重複することとした。
【０１１２】
すなわち、後側ヒンジ４２においても前述した前側ヒンジ４１と同じように、後側ヒンジ４２で胴回り部材１０の左右方向への伸縮による吸収性本体２０の縦皺の発生が抑制されて、吸収性本体２０が着用者の身体に沿うので、仙骨部（臀部）おいて温感剤２６の効果を高めることが可能となる。
【０１１３】
また、本実施の形態においては、前側ヒンジ４１の左右方向の寸法４１Ｘが、後側ヒンジ４２の左右方向のいずれの寸法（４２ａＸ、４２ｂＸ、及び４２ｃＸ）よりも大きいこととした。
【０１１４】
仙骨部にはおしりの溝があるので、左右方向に平坦な形状が少ないが、下腹部にはそのような溝がないので、左右方向に平坦な形状となっている。そして、前側ヒンジ４１の左右寸法が、後側ヒンジ４１の左右寸法と同じ場合に比べて大きくなると、前側ヒンジ４１は下腹部の平坦な形状に沿うので、吸収性本体２０の左右方向に広い範囲で下腹部の形状に沿い易くなる。つまり、下腹部の左右方向に広い範囲で温感剤２６を着用者の肌に近づけることができるので、下腹部において温感剤２６の効果を高めることが可能となる。
【０１１５】
また、本実施の形態においては、後側ヒンジ４２は、左右方向において、一対の後側ヒンジ４２の間の吸収性コア２２の密度は、後側ヒンジ４２の密度よりも低いこととした。
【０１１６】
すなわち、一対の後側ヒンジ４２の左右方向の間における吸収性コア２２の密度が、一対の後側ヒンジ４２の密度と同じ場合に比べて低くなると、当該部分の吸収性コア２２が変形し易くなる。そのため、当該部分の吸収性コア２２は、一対の後側ヒンジ４２が折り目となって肌側へ突出し易くなり、おしりの溝に沿い易くなる。つまり、仙骨部の温感剤２６を着用者の肌に近づけることができるので、仙骨部において温感剤２６の効果を高めることが可能となる。
【０１１７】
また、本実施の形態においては、前側ヒンジ４１と後側ヒンジ４２は、それぞれが上下方向に所定の寸法（４１Ｙ、並びに、４２ａＹ、４２ｂＹ、及び４２ｃＹ）を有しており、後側ヒンジ４２は、１又は複数の後側ヒンジ４２（本実施形態においては３つ）であって、１又は複数の後側ヒンジ４２のうちの最も上端（第１後側ヒンジ４２ａの上端）から最も下端（第３後側ヒンジ４２ｃの下端）までの距離が、前側ヒンジ４１の上端から下端までの距離（上下方向の寸法４１Ｙ）よりも、大きいこととした。
【０１１８】
仙骨部には上下方向に沿ったおしりの溝があるが、下腹部にはそのような溝は無い。また、後側ヒンジ４２は、吸収性コア２２の左右方向における中央部を肌側に突出させる折り目として機能する。そして、後側ヒンジ４２の上端から下端までの距離が、前側ヒンジ４１の上端から下端までの距離と同じ場合に比べて大きくなると、後側ヒンジ４２が上下方向に広い範囲で吸収性コア２２の中央部を肌側に突出させるので、吸収性コア２２がおしりの溝に沿い易くなる。つまり、仙骨部の上下方向に広い範囲で温感剤２６を着用者の肌に近づけることができるので、仙骨部において温感剤２６の効果を高めることが可能となる。
【０１１９】
また、本実施の形態においては、吸収性コア２２には、前側ヒンジ４１の下側端の下側に、前側ヒンジと上下方向に間隔を置いて、吸収性コア２２の密度がその周囲の密度より高い中央ヒンジ４３が設けられており、前側ヒンジ４１と中央ヒンジ４３は、それぞれ上下方向に所定の寸法（４１Ｙ及び４３Ｙ）を有し、吸収性本体２０には、上下方向に沿って股下糸ゴム３０が備えられており、股下糸ゴム３０が、上下方向において、少なくとも前側ヒンジ４１の下側端部４１ｂｅと、中央ヒンジ４３の上側端部４３ｆｅと、の両方と重複することとした。
【０１２０】
かかる股下糸ゴム３０は、前側ヒンジ４１と中央ヒンジ４３の間の距離を近づけるように機能する。そして、前側ヒンジ４１は、胴回り部材１０の左右方向への伸縮作用（胴回りの締め付け作用）によって下腹部の肌側へ押さえ付けられて動かないように支持されている。一方の中央ヒンジ４３は、胴回り部材１０の股下部において非肌側（下側）へ落下しないように胴回り部材１０に吊られた状態で支持されている。
【０１２１】
したがって、吸収性物品１の着用時において、股下糸ゴム３０は、中央ヒンジ４３を前側ヒンジ４１側（上側）へ引き付けることとなる。すなわち、股下糸ゴム３０は、中央ヒンジ４３の温感剤２６を身体に近づけるので、中央ヒンジ４３において温感剤２６の効果を高めることが可能となる。
【０１２２】
また、本実施の形態においては、前側ヒンジ４１と複数の一対のヒンジ４０（後側ヒンジ４２及び中央ヒンジ４３）は、それぞれ上下方向に所定の寸法（４１Ｙ、４３Ｙ、並びに、４２ａＹ、４２ｂＹ、及び４２ｃＹ）を有し、吸収性本体２０は、前側ヒンジ４１と複数の一対のヒンジ４０（後側ヒンジ４２及び中央ヒンジ４３）の各々の上下方向の寸法を長さとし、各々の左右方向の寸法を幅とした、各々の矩形状領域４０Ｍを有し、前後方向に見たときに、温感剤２６が、矩形状領域４０Ｍの少なくとも一部と重複することとした。
【０１２３】
すなわち、吸収性本体２０の矩形状領域４０Ｍにおいては、各々の矩形状領域４０Ｍ内のヒンジ４０によって、矩形状領域４０Ｍの幅の範囲において縦皺の発生が抑制され易いので、温感剤２６の効果を高めることが可能となる。
【０１２４】
また、本実施の形態においては、前側ヒンジ４１と複数の一対のヒンジ４０（後側ヒンジ４２及び中央ヒンジ４３）は、吸収性コア２２を圧搾して設けられた、前側圧搾溝（前側ヒンジ４１）と複数の一対の圧搾溝（後側ヒンジ４２及び中央ヒンジ４３）であり、前後方向に見たときに、塗布領域２６ｐが、前側圧搾溝（前側ヒンジ４１）又は複数の一対の圧搾溝（後側ヒンジ４２及び中央ヒンジ４３）と重複するヒンジ重複領域２６ｐｃと、前側圧搾溝（前側ヒンジ４１）及び複数の一対の圧搾溝（後側ヒンジ４２及び中央ヒンジ４３）と重複しないヒンジ非重複領域２６ｐｄと、を有していることとした。
【０１２５】
圧搾溝は、吸収性コア２２の肌側で、吸収性コア２２の肌側から非肌側に圧搾して形成されている。つまり、ヒンジ重複領域２６ｐｃに位置する温感剤２６は、ヒンジ非重複領域２６ｐｄに位置する温感剤２６よりも着用所の肌から遠くて体温が伝わりにくい（高温になりにくい）。
【０１２６】
したがって、ヒンジ重複領域２６ｐｃにおいては、温感効果が、着用後に時間を置いて発生し、ヒンジ非重複領域２６ｐｄにおいては、温感効果が、着用後に速やかに発生する。すなわち、このような温感剤２６の効果発生期間が異なる２つの領域に温感剤２６を設けることにより、温感剤２６の効果を長く持続させること可能となる。
【０１２７】
また、本実施の形態においては、吸収性本体２０は、肌側シートとして、最も肌側に位置する第１肌側シート２４ａと、第１肌側シート２４ａと吸収性コア２２との間に位置する第２肌側シート２４ｂと、を備えており、温感剤２６が、第１肌側シート２４ａの非肌側及び第２肌側シート２４ｂの肌側の少なくとも一方に備えられていることとした。
【０１２８】
吸収性物品１の内表面に温感剤２６を設けると、温感剤２６が着用者に直接的に接するので、着用者への刺激が強すぎて、着用者の肌に赤み、かゆみ、又はかぶれ等を発生させる肌トラブルの原因となり得る。また、吸収性物品１の外表面に温感剤２６を設けると、非肌側シート２４ｃが気体を透過させるものであっても、温感剤２６が着用者の肌から遠すぎて、温感剤２６の効果が十分に発揮されない。
【０１２９】
これに対し、本実施の形態においては、温感剤２６と着用者の肌とが直接的に当接しないようにしつつ、最も着用者の肌と近い第１肌側シート２４ａの非肌側に塗布することとした。すなわち、温感剤２６の厚さ方向における不適切な位置（内表面及び外表面）を避けることができ、着用者の肌にも近いので、温感剤２６の効果を高めることが可能となる。
【０１３０】
また、本実施の形態においては、胴回り部材１０は、複数のシートを備えており、胴回り部材１０の複数のシートのうち、少なくとも１つが左右方向に伸縮性を有し、胴回り部材１０の複数のシートは、前後方向に重ねられた状態で、点在する複数の超音波接合部によって接合されており、前後方向に見たときに、胴回り部材１０は、吸収性本体２０と重複する吸収性本体重複領域と、吸収性本体２０と重複しない吸収性本体非重複領域と、を有し、吸収性本体重複領域の単位面積あたりの超音波接合部ＹＳの面積が、吸収性本体非重複領域の単位面積あたりの超音波接合部ＺＳの面積よりも、大きいこととした。
【０１３１】
すなわち、吸収性本体重複領域の単位面積当たりの超音波接合部ＹＳの面積が、吸収性非本体非重複領域の単位面積当たりの超音波接合部ＺＳの面積以下の場合に比べて、吸収性本体重複領域の剛性が高くなり、吸収性本体重複領域における縦皺の発生が抑制されるので、温感剤２６の効果を高めることが可能となる。
【０１３２】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【０１３３】
また、上記実施の形態においては、複数の一対のヒンジ４０（後側ヒンジ４２及び中央ヒンジ４３）の各々は、左右方向に所定の寸法（４３Ｘ、並びに、４２ａＸ、４２ｂＸ、及び４２ｃＸ）を有し、複数の一対のヒンジ４０（後側ヒンジ４２及び中央ヒンジ４３）のいずれかの左右方向の寸法が、塗布領域２６ｐの左右方向の寸法よりも小さい、がこれに限るものではない。複数の一対のヒンジ４０（後側ヒンジ４２及び中央ヒンジ４３）のいずれかの左右方向の寸法が、塗布領域２６ｐの左右方向の寸法以上であってもよい。
【０１３４】
すなわち、前者のパンツ型吸収性物品１によると、股間部及び臀部のヒンジ４０（後側ヒンジ４２及び中央ヒンジ４３）の左右寸法が塗布領域２６ｐの左右寸法以上の場合に比べて、股間部及び臀部のヒンジ４０（後側ヒンジ４２及び中央ヒンジ４３）が身体に接触することを抑制することができるので、着用時の違和感を抑制することが可能となる。
【０１３５】
そして、後者のパンツ型吸収性物品１によると、股間部及び臀部の高密度部（後側ヒンジ４２及び中央ヒンジ４３）のいずれかの左右寸法が、塗布領域２６ｐの左右寸法よりも小さい場合に比べて、股間部及び臀部の高密度部による縦皺の発生が抑制され易いので、温感剤２６の効果を高めることが可能となる。
【０１３６】
また、本実施の形態においては、胴回り部材１０を左右方向に伸縮させる部材として伸縮性シート１２が設けられていたが、これに限るものではない。例えば、伸縮部材として胴回り糸ゴム１６を伸縮性シート１２の代わり、又は同時に用いてもよい。
【０１３７】
図９は、胴回り糸ゴム１６を用いたパンツ型吸収性物品１００の展開状態における平面図である。パンツ型吸収性物品１００においては、前後方向（厚さ方向）に見たときに、前側ヒンジ４１の前側矩形状領域４１Ｍと重複する胴回り部材１０の領域（図９においてＰで示す右上がり斜線の領域。以下、前側矩形状重複領域ともいう）において、伸長状態から自然状態に移行した際の胴回り部材１０の左右方向の収縮量を小さくする。
【０１３８】
一例として、図９に示すように、吸収性本体重複領域（図２に示すＸの領域）において、胴回り糸ゴム１６と胴回り部材１０を非接着状態とし、吸収性本体重複領域の胴回り糸ゴム１６を切断することにより、胴回り糸ゴム１６の一部を非伸長状態とする例を挙げることができる。かかる状態によると、胴回り糸ゴム１６が切断箇所から吸収性本体重複領域（Ｘで示す領域）の左右方向の両端へ収縮するので、前側矩形状重複領域（Ｐで示す領域）において、胴回り糸ゴム１６が配置されない又は非伸長状態で配置される。そのため、伸長状態から自然状態に移行した際の前側矩形状重複領域（Ｐで示す領域）における胴回り部材１０の左右方向の収縮量を、上下方向において前側矩形状重複領域（Ｐで示す領域）と同じ位置の吸収性本体非重複領域の収縮量と比べて小さくすることが可能となる。
【０１３９】
より具体的には、図９の拡大図に示すように、吸収体非重複領域においては、伸長状態の左右方向の寸法がＬ０、自然状態の左右方向の寸法がＬ２なり、前側矩形状重複領域においては、伸長状態の左右方向の寸法がＬ０、自然状態の左右方向の寸法がＬ１となる。そして、Ｌ１がＬ２よりも大きくなる。
【０１４０】
すなわち、胴回り部材１０は、左右方向に伸縮性を有し、前側ヒンジ４１は、上下方向に所定の寸法４１Ｙを有しており、吸収性本体２０は、前側ヒンジ４１の上下方向の寸法４１Ｙを長さとし、左右方向の寸法４１Ｘを幅とした、前側矩形状領域４１Ｍを有し、胴回り部材１０は、前後方向に見たときに、前側矩形状領域４１Ｍと重複する前側矩形状重複領域と、吸収性本体２０と重複しない吸収性本体非重複領域と、を有し、前側矩形状重複領域の左右方向の寸法が、伸長状態においてＬ０であり、自然状態においてＬ１であって、伸長状態の吸収性本体非重複領域において、伸長状態の前側矩形状重複領域と上下方向の同じ位置に配置され形状が同一な領域における左右方向の寸法が、伸長状態においてＬ０であり、自然状態においてＬ２であって、Ｌ１がＬ２よりも大きい。
【０１４１】
かかるパンツ型吸収性物品１００によると、Ｌ１がＬ２と同じ場合に比べて大きくなることで、前側矩形状領域４１Ｍにおける吸収性本体２０の左右方向への収縮量が小さくなり、吸収性本体２０の縦皺の発生が抑制されるので、下腹部において温感剤２６の効果を高めることが可能となる。
【０１４２】
また、上記実施の形態においては、不織布の伸縮性シート１２が用いられていたが、これに限るものではない。例えば、伸縮性シート１２が伸縮フィルムであってもよい。伸縮性シート１２に伸縮フィルムを用いた場合には、着用者と伸縮フィルムの間に着用者の肌と接する不織布シートを用いるのが好ましい。伸縮フィルムの面が着用者の肌と直接的に接すると、温感剤２６の温感効果が高くなり過ぎて、着用者が痛みやかゆみを感じることがあるが、着用者と伸縮フィルムの間に不織布シートを用いることにより、かかる現象を抑制することができる。
【０１４３】
また、胴回り部材１０の強度を補うため、伸縮性シート１２が不織布の場合にも、伸縮性シート１２と非伸縮性シート１４の２枚構成に上記した不織布シート加えて、３枚構成の胴回り部材とすることができる。３枚構成の胴回り部材によると、２枚構成の胴回り部材に比べて、胴回り部材の強度が強くなり、且つ、気化した温感剤２６がシート部材と着用者の肌の間に留まり易くなる。
【０１４４】
また、上記実施の形態においては、揮発性物質の一例として、温感剤２６を用いていたが、温感剤２６に限るものではなく、例えば、冷感剤を用いてもよい。冷感剤を用いた場合には、着用者の蒸れやべたつきによる不快感を低減することが可能となる。
【０１４５】
つまり、冷感剤（温感剤２６）を備えた吸収性物品１によると、揮発性物質が、冷感剤（温感剤２６）以外の場合に比べて、着用者の冷感効果（温感効果）を高めることが可能となる。
【０１４６】
なお、上記で説明した温感剤２６が気化して効果を発揮する仕組み（メカニズム）については、冷感剤や後述する香料においても同様であるので、これらの説明については省略する。
【０１４７】
かかる冷感剤の例としては、メントール（例えば、ｌ−メントール）及びその誘導体（例えば、乳酸メンチル）、サリチル酸メチル、カンファー、植物（例えば、ミント、ユーカリ）由来の精油等が挙げられる。
【０１４８】
なお、冷感剤や温感剤２６は、温度感受性ＴＲＰチャネルを刺激するものが好ましい。これらにより低温火傷や火傷することなく、冷たさや暖かさを感じることができる。
【０１４９】
また、上記実施の形態においては、揮発性物質の一例として、温感剤２６を用いていたが、温感剤２６に限るものではなく、例えば、香料を用いても良い。香料は、温感剤２６の代わりに用いても良いし、温感剤２６と一緒に用いても良い。香料としては、当該技術分野において従来用いられてきたものと同様のものを用いることができる。
【０１５０】
なお、香料として、特にグリーンハーバル調の香料（グリーンハーバル様香気）を用いた場合には、特に精神的な不快症状を身体に物理的刺激を与えることなく、また、経口投与にもよらず、安全かつ簡便に緩和させることが可能になる。これに加え、快適感も得られる。
【０１５１】
グリーンハーバル様香気は、グリーン様香気（グリーンノート）又はハーバル様香気（ハーバルノート）を含む香調である。グリーン様香気とは、草や若葉のすがすがしい香調をいう。ハーバル様香気（ハーバルノート）とは、ハーブを用いた自然で、薬草的な香り立ちが特徴の香調をいう。
【０１５２】
グリーンハーバル様香気を有する香料を含有する香料組成物は、シス-３-ヘキセノール、ギ酸シス-３-ヘキセニル、酢酸シス-３-ヘキセニル、プロピオン酸シス-３-ヘキセニル、酪酸シス-３-ヘキセニル、トランス-２-ヘキセナール、酢酸トランス-２-ヘキセニル、酢酸ヘキシル、酢酸スチラリル、２-メチル-３-（３，４-メチレンジオキシフェニル）-プロパナール（ＩＦＦ社名、ヘリオナール）、３（４）-（５-エチルビシクロ［２，２，１］ヘプチル-２）-シクロヘキサノール、２-ペンチロキシグリコール酸アリル（ＩＦＦ社名、アリルアミルグリコレート）、４-メチル-３-デセン-５-オール（Ｇｉｖａｕｄａｎ社名、ウンデカベルトール）、ヘキシルアルデヒド、２，４-ジメチル-３-シクロヘキセニルカルボキシアルデヒド（ＩＦＦ社名、トリプラール）及びフェニルアセトアルデヒドより選択される１種又は２種以上の香料を含有することが好ましい。これらの香料として市販品を用いることもできる。これらが含まれる香料は主にグリーン様香気を生ずるものである。
【０１５３】
グリーンハーバル様香気を有する香料を含有する香料組成物は、更に、ｌ-メントール、１，８-シネオール、サリチル酸メチル、シトロネラール、カンファー、ボルネオール、酢酸イソボルニル、酢酸ターピニル、オイゲノール、アネトール、４-メトキシベンジルアルコール及びエストラゴールより選択される１種又は２種以上の香料を含有することが好ましい。これらが含まれる香料は、主として、ハーバル様香気を生ずるものである。
【０１５４】
なお、香料を用いた場合も、気化して効果を発揮する仕組み（メカニズム）は温感剤２６と同様であるので、香料の説明については省略する。
【符号の説明】
【０１５５】
１  パンツ型吸収性物品、１ａ  胴回り開口部、１ｂ  脚回り開口部
１０  胴回り部材、１０ｆ  前側胴回り部材、１０ｆｅ  前側接合部
１０ｆｆ  胴回り前端部、１０ｂ  後側胴回り部材、１０ｂｅ  後側接合部
１０ｂｆ  胴回り後端部、１０Ｌ  左側延出部、１０Ｒ  右側延出部
１２  伸縮性シート、１２ｆ  前側伸縮性シート、１２ｂ  後側伸縮性シート
１２ｆｅ  端、１２ｂｅ  端、１４  非伸縮性シート  １６  胴回り糸ゴム
２０  吸収性本体、２２  吸収性コア、２２ａ  コアラップシート
２４ａ  第１肌側シート、２４ｂ  第２肌側シート
２４ｃ  非肌側シート、２４ｄ  サイドシート
２６  温感剤、２６ｐ  塗布領域、２６ｎ  非塗布領域
２６ｐｃ  ヒンジ重複領域（圧搾溝重複領域）
２６ｐｄ  ヒンジ非重複領域（圧搾溝非重複領域）、３０  股下糸ゴム（弾性部材）
４０  ヒンジ（高密度部）、４１  前側ヒンジ（前側高密度部）、４１ｂｅ  下側端部
４２  後側ヒンジ（後側高密度部）、４２ａ  第１後側ヒンジ、４２ｂ  第２後側ヒンジ
４２ｃ  第３後側ヒンジ、４３  中央ヒンジ（中央高密度部）、４３ｆｅ  上側端部
４０Ｍ  矩形状領域、４１Ｍ  前側矩形状領域、４２ａＭ  第１後側矩形状領域
４２ｂＭ  第２後側矩形状領域、４２ｃＭ  第３後側矩形状領域
４３Ｍ  中央矩形状領域、５０  立体ギャザー  ５０Ｂ  支点  ５０Ｓ  頂点
１００  パンツ型吸収性物品
ＣＬ  中心折線、ＹＳ  超音波接合部、ＺＳ  超音波接合部
【要約】
液吸収性の吸収性コア（２２）と、吸収性コア（２２）よりも肌側に設けられた肌側シート（２４ａ、２４ｂ）と、を備えた吸収性本体（２０）と、吸収性本体（２０）の非肌側に重ねて配置された、左右方向に伸縮する胴回り部材（１０）と、を有するパンツ型吸収性物品（１）であって、吸収性コア（２２）及び肌側シート（２４ａ、２４ｂ）の少なくとも一方には、温感剤（２６）が備えられ、吸収性コア（２２）の前側上端部には、吸収性コア（２２）の密度がその周囲の密度よりも高い前側ヒンジ（４１）が設けられ、前側ヒンジ（４１）は、左右方向に所定の寸法（４１Ｘ）を有しており、前後方向に見たときに、温感剤（２６）の少なくとも一部が、前側ヒンジ（４１）と重複することを特徴とする。【図１】
0006821103.tif 000002
【図２】
0006821103.tif 000003
【図３】
0006821103.tif 000004
【図４】
0006821103.tif 000005
【図５】
0006821103.tif 000006
【図６】
0006821103.tif 000007
【図７】
0006821103.tif 000008
【図８】
0006821103.tif 000009
【図９】
0006821103.tif 000010